(57)【要約】【課題】  裏番組で重要シーンが検出されても勝手に視聴中の番組が切り替わらず、使用者に裏番組で重要シーンが発生したことを通知するデジタル放送記録再生装置を提供する。【解決手段】  各番組の映像情報及び音声情報の蓄積部１３へ蓄積時にその蓄積する映像情報及び音声情報に対してインデックスを付加する録画制御部８と、蓄積と同時に蓄積済みの映像情報及び音声情報の読み出しが可能である再生制御部１０と、番組の付加情報を解析したキーワードが格納されているキーワードと一致する場合に録画制御部に対応する番組の対応シーンにインデックスを付加させ、検出通知を出力する付加情報解析部６と、各番組の選択と各番組毎に受信した番組と蓄積部１３から読み出された番組とから出力を選択する選択部４、４ａ、５と、画像表示／音声出力装置に映像情報と音声情報を出力する映像／音声出力部１５とを備える。【選択図】  図１
2005250738.tif 000002
【特許請求の範囲】
【請求項１】
サーバ型デジタル放送方式で送信される任意の番組の映像情報及び音声情報に加えて番組内容を示す付加情報を受信可能である複数の受信部と、
予め使用者が視聴を希望する番組の種類を示す任意の文字列で指定されるキーワードを入力する入力部と、
前記受信部で受信した各番組のうち２番組以上の映像情報及び音声情報を同時に蓄積可能である蓄積部と、
前記各番組の映像情報及び音声情報の前記蓄積部への蓄積を制御すると共に、該蓄積時に該蓄積する映像情報及び音声情報に対してインデックスを付加する録画制御部と、
前記蓄積されていた番組の映像情報及び音声情報の読み出しを制御し、前記蓄積と同時に蓄積済みの映像情報及び音声情報の読み出しが可能である再生制御部と、
前記各番組毎に映像情報及び音声情報に加えて番組内容を示す付加情報を各々の受信された情報から抽出する情報抽出部と、
前記入力部によりキーワードを格納しておき、任意の番組の受信中に他の番組の前記付加情報を解析してキーワードを抽出し、格納されているキーワードと一致するか否かを検出し、キーワードが一致した場合に、前記録画制御部に対して対応する番組の対応シーンにインデックスを付加するように指示すると共に、前記キーワードに一致する番組の対応シーンが検出されたことを示す検出通知を出力する付加情報解析部と、
前記各番組毎に前記受信部で受信した番組の情報と前記蓄積部から読み出された番組の情報とから出力させる情報を選択すると共に、前記各番組から任意の１番組の情報を選択する選択部と、
映像情報及び音声情報を復号する復号部と、
画像表示／音声出力装置に映像情報と音声情報を出力する映像／音声出力部と
を備えることを特徴とするデジタル放送記録再生装置。
【請求項２】
前記再生制御部が、前記映像／音声出力部が出力した検出通知により検出された番組の対応シーンを再生するように指示された場合、
前記録画制御部は、前記キーワードに対応する番組の対応シーンが再生される前に視聴されていた番組の蓄積を開始し、
前記再生制御部は、前記対応シーンの読み出しを開始して、前記対応シーンの読み出し終了後、前記対応シーンの再生される前に視聴されていた番組の読み出しを開始する
ことを特徴とする請求項１に記載のデジタル放送記録再生装置。
【請求項３】
前記映像／音声出力部は、キーワードに一致する番組の対応シーンが検出されたことを示す検出通知を画像表示／音声出力装置に表示させる
ことを特徴とする請求項１又は２に記載のデジタル放送記録再生装置。
【請求項４】
前記付加情報解析部は、キーワードが一致した場合に、前記録画制御部に対して前記キーワードに一致する番組の対応シーンの記録を開始するように指示する
ことを特徴とする請求項１〜３の何れか１項に記載のデジタル放送記録再生装置。
【請求項５】
前記蓄積部内には、蓄積前の各番組毎の映像情報及び音声情報を所定時間分だけ一時的に記憶できる一時記憶部を複数備え、
前記録画制御部は、前記対応する番組の対応シーンの記録を開始する指示を受信する前の各番組毎の映像情報及び音声情報を、前記各一時記憶部に交互あるいは順次一時記憶させておき、前記対応する番組の対応シーンの記録を開始する指示の受信時には、前記一時記憶部の映像情報及び音声情報を含めて蓄積し、
前記再生制御部は、前記一時記憶部の映像情報及び音声情報から読み出す
ことを特徴とする請求項１〜４の何れか１項に記載のデジタル放送記録再生装置。
【請求項６】
前記キーワードに一致する番組の対応シーンが検出されたことを文字情報により表示する文字情報表示部を備え、
前記付加情報解析部は、前記キーワードに一致する番組の対応シーンが検出されたことを示す検出通知を表示するように、文字情報表示部に対して指示する
ことを特徴とする請求項１〜５の何れか１項に記載のデジタル放送記録再生装置。
【請求項７】
前記キーワードに一致する番組の対応シーンが検出されたことを光の点灯により報知する発光表示部を備え、
前記付加情報解析部は、前記キーワードに一致する番組の対応シーンが検出されたことを示すように、前記発光表示部を発光させる
ことを特徴とする請求項１〜５の何れか１項に記載のデジタル放送記録再生装置。
【請求項８】
前記キーワードに一致する番組の対応シーンが検出されたことを音により報知する報知音出力部を備え、
前記付加情報解析部は、前記キーワードに一致する番組の対応シーンが検出されたことを示すように、前記報知音出力部から報知音を出力させる
ことを特徴とする請求項１〜５の何れか１項に記載のデジタル放送記録再生装置。
【請求項９】
前記キーワードに一致する番組の対応シーンが検出されたことを音声により報知する音声メッセージ出力部を備え、
前記付加情報解析部は、前記キーワードに一致する番組の対応シーンが検出されたことを示す検出通知を報知するように、前記音声メッセージ出力部に対して指示する
ことを特徴とする請求項１〜５の何れか１項に記載のデジタル放送記録再生装置。
【請求項１０】
前記映像／音声出力部は、キーワードに一致して１つの番組中で検出された複数の対応シーン、あるいは、複数の番組中で検出された複数の対応シーンを格納するイベント情報記憶部を備え、
検出通知としては、検出された各対応シーンを個別に選択できる一覧を画像表示／音声出力装置に出力させる
ことを特徴とする請求項３に記載のデジタル放送記録再生装置。
【請求項１１】
前記録画制御部は、キーワードに一致して１つの番組中で検出された複数の対応シーン、あるいは、複数の番組中で検出された複数の対応シーンのインデックス情報を格納するインデックス記憶部を備え、
前記再生制御部が、映像／音声出力部が出力した検出通知により記録された番組の対応シーンを再生するように指示された場合、
前記再生制御部は、複数のインデックス情報により蓄積部から対応シーンを順次読み出す
ことを特徴とする請求項２に記載のデジタル放送記録再生装置。
【請求項１２】
前記再生制御部が、前記映像／音声出力部が出力した検出通知により記録された番組の対応シーンを再生するように指示された場合、
前記再生制御部は、前記複数の対応シーンから選択された対応シーンの読み出しが終了するたびに、前記一覧を画像表示／音声出力装置に出力させる
ことを特徴とする請求項１０に記載のデジタル放送記録再生装置。
【請求項１３】
前記蓄積部は複数であり、前記録画制御部と前記再生制御部に対して並列に接続され、前記対応シーンの記録及び読み出しアクセスを並列に実施可能である
ことを特徴とする請求項１又は２に記載のデジタル放送記録再生装置。
【請求項１４】
移動体内に設置されるデジタル放送記録再生装置であって、
移動体の速度パルス情報及び駐車ブレーキ情報から車体の動きを検出する動き検出部を備え、
前記動き検出部が車体の動きを検出できない場合には、前記映像／音声出力部からの出力を許可し、
前記動き検出部が車体の動きを検出している場合には、前記映像／音声出力部からの出力を禁止する
ことを特徴とする請求項３に記載のデジタル放送記録再生装置。
【請求項１５】
前記動き検出部が車体の動きを検出している場合で、前記付加情報解析部が、キーワードの一致を検出した場合に、移動体の乗員に対して前記キーワードに一致する番組の対応シーンが検出されたことを報知し、
前記再生制御部は、前記動き検出部が車体の動きを検出できなくなった場合に、前記対応シーンの読み出しを実施する
ことを特徴とする請求項１４に記載のデジタル放送記録再生装置。
【請求項１６】
サーバ型デジタル放送方式で送信される任意の複数の番組の映像情報及び音声情報に加えて番組内容を示す付加情報を受信するステップと、
予め使用者が視聴を希望する番組の種類を示す任意の文字列で指定されるキーワードを入力するステップと、
任意の番組の受信中に他の番組の前記付加情報を解析してキーワードを抽出し、格納されているキーワードと一致するか否かを検出するステップと、
前記キーワードが一致した場合に、対応する番組の対応シーンにインデックスを付加して録画するように指示すると共に、前記キーワードに一致する番組の対応シーンが検出されたことを示す検出通知を出力するステップと、
前記検出通知により検出された番組の対応シーンを再生するように指示が入力された場合、前記キーワードに対応する番組の対応シーンが再生される前に視聴されていた番組の蓄積を開始すると共に前記対応シーンの読み出しを開始するステップと、
前記対応シーンの読み出し終了後、前記対応シーンの再生される前に視聴されていた番組の読み出しを開始するステップと
を有することを特徴とするデジタル放送記録再生装置の記録再生方法。
【請求項１７】
サーバ型デジタル放送方式で送信される任意の複数の番組の映像情報及び音声情報に加えて番組内容を示す付加情報を受信するステップと、
予め使用者が視聴を希望する番組の種類を示す任意の文字列で指定されるキーワードを入力するステップと、
任意の番組の受信中に他の番組の前記付加情報を解析してキーワードを抽出し、格納されているキーワードと一致するか否かを検出するステップと、
前記キーワードが一致した場合に、対応する番組の対応シーンにインデックスを付加して録画するように指示すると共に、前記キーワードに一致する番組の対応シーンが検出されたことを示す検出通知を番組毎に一覧形式で対応シーンが表示できるように格納するステップと、
検出通知として一覧形式の対応シーンを表示させるステップと、
前記一覧形式の対応シーンから選択された番組の対応シーンを再生するように指示が入力された場合、前記キーワードに対応する番組の対応シーンが再生される前に視聴されていた番組の蓄積を開始すると共に前記対応シーンの読み出しを開始するステップと、
前記対応シーンの読み出し終了後、前記対応シーンの再生される前に視聴されていた番組の読み出しを開始するステップと
を有することを特徴とするデジタル放送記録再生装置の記録再生方法。
【請求項１８】
移動体の動きを検出するステップと、
移動体の停止を検出するステップと、
動きを検出した場合に、前記対応シーンの読み出しを中止させ、視聴中の受信情報については録画を開始するステップと、
停止を検出した場合に、前回の動き検出で対応シーンの読み出しが中止された場合には続きを読み出し開始し、そうでない場合には、一覧形式の対応シーンを表示させるステップと
を有することを特徴とする請求項１７に記載のデジタル放送記録再生装置の記録再生方法。
【発明の詳細な説明】
【技術分野】
【０００１】
この発明は、映像情報、音声情報に加えて番組内容を示す付加情報が同時に送信されるサーバ型のデジタル放送を受信するだけでなく記録および再生が可能なデジタル放送記録再生装置に関し、特に、設定されたキーワードに対応するシーンを複数の視聴していない裏番組から検出して視聴できるデジタル放送記録再生装置に関する。
【背景技術】
【０００２】
裏番組の重要シーンを判別し、重要シーンが検出されると、自動的にこれまで出力していた番組に代わり裏番組を出力し、この裏番組が出力され表示されている間、本来視聴していた番組を録画し、裏番組の重要シーンが終了すると、本来視聴していた番組に自動的に切り替わり再生が始まる番組録画再生装置が知られている。（例えば、特許文献１参照）。
【０００３】
【特許文献１】特開２０００−２７０２７４
【発明の開示】
【発明が解決しようとする課題】
【０００４】
しかしながら、例えば、使用者が１つの番組を視聴中に裏番組で視聴を希望する重要シーンが発生した場合であっても、現在視聴している番組の視聴を引き続き希望する場合がある。すなわち、現在視聴している番組が、自動的に裏番組の重要シーンに切り替わって欲しくなく、自分の意志で切り替えを選択したい場合がある。上記した従来の番組録画再生装置では、視聴中の番組の裏番組で重要シーンが発生した場合に、使用者が自分の意志で、現在視聴中の番組か、あるいは、重要シーンが検出された裏番組かという視聴する番組の選択ができないという問題があった。
【０００５】
本発明はこのような状況に鑑みてなされたものであり、裏番組で重要シーンが検出されても勝手に視聴中の番組が切り替わらず、使用者に裏番組で重要シーンが発生したことを通知するデジタル放送記録再生装置を提供することを目的とする。
【課題を解決するための手段】
【０００６】
上記した課題を解決するために、本発明のデジタル放送記録再生装置は、サーバ型デジタル放送方式で送信される任意の番組の映像情報及び音声情報に加えて番組内容を示す付加情報を受信可能である複数の受信部と、予め使用者が視聴を希望する番組の種類を示す任意の文字列で指定されるキーワードを入力する入力部と、受信部で受信した各番組のうち２番組以上の映像情報及び音声情報を同時に蓄積可能である蓄積部と、各番組の映像情報及び音声情報の蓄積部への蓄積を制御すると共に、該蓄積時に該蓄積する映像情報及び音声情報に対してインデックスを付加する録画制御部と、蓄積されていた番組の映像情報及び音声情報の読み出しを制御し、蓄積と同時に蓄積済みの映像情報及び音声情報の読み出しが可能である再生制御部と、各番組毎に映像情報及び音声情報に加えて番組内容を示す付加情報を各々の受信された情報から抽出する情報抽出部と、入力部によりキーワードを格納しておき、任意の番組の受信中に他の番組の付加情報を解析してキーワードを抽出し、格納されているキーワードと一致するか否かを検出し、キーワードが一致した場合に、録画制御部に対して対応する番組の対応シーンにインデックスを付加するように指示すると共に、キーワードに一致する番組の対応シーンが検出されたことを示す検出通知を出力する付加情報解析部と、各番組毎に受信部で受信した番組の情報と蓄積部から読み出された番組の情報とから出力させる情報を選択すると共に、各番組から任意の１番組の情報を選択する選択部と、映像情報及び音声情報を復号する復号部と、画像表示／音声出力装置に映像情報と音声情報を出力する映像／音声出力部とを備える。
【０００７】
また、本発明のデジタル放送記録再生装置の記録再生方法では、サーバ型デジタル放送方式で送信される任意の複数の番組の映像情報及び音声情報に加えて番組内容を示す付加情報を受信するステップと、予め使用者が視聴を希望する番組の種類を示す任意の文字列で指定されるキーワードを入力するステップと、任意の番組の受信中に他の番組の付加情報を解析してキーワードを抽出し、格納されているキーワードと一致するか否かを検出するステップと、キーワードが一致した場合に、対応する番組の対応シーンにインデックスを付加して録画するように指示すると共に、キーワードに一致する番組の対応シーンが検出されたことを示す検出通知を出力するステップと、検出通知により検出された番組の対応シーンを再生するように指示が入力された場合、キーワードに対応する番組の対応シーンが再生される前に視聴されていた番組の蓄積を開始すると共に対応シーンの読み出しを開始するステップと、対応シーンの読み出し終了後、対応シーンの再生される前に視聴されていた番組の読み出しを開始するステップとを有する。
【発明の効果】
【０００８】
本発明では、付加情報の解析結果が予め格納したキーワードと一致した場合に録画制御部に記録中の番組の対応シーンにインデックスを付加するように指示すると主に、キーワードに対応するシーンを検出したことの通知を出力するので、裏番組の重要シーンを見逃すことがなく任意の時点でこれを視聴できる。また、使用者が任意の番組を視聴中に、キーワード対応シーン検出通知の表示およびその表示により選択された録画済みの該当シーンを再生する場合には、その直前に視聴していた番組の表示されない期間分を録画するようにしたため、キーワード対応シーンの視聴終了後に直前に視聴していた番組の視聴中断箇所から視聴することができる。
【発明を実施するための最良の形態】
【０００９】
以下、本発明のデジタル放送記録再生装置の実施形態を図面に従って説明するが、その前に、放送局から送信されるデータについて、簡単に説明する。
【００１０】
現在のデジタル放送では、放送局から映像情報および音声情報等のデジタルデータが送信されている。しかし、近い将来のサーバ型ディジタル放送方式のサービスにおいては、従来からの映像情報、音声情報等のデジタルデータに加えて、同時にメタデータと称される番組内容を示す付加情報も同時に送信さられる予定になっている。
【００１１】
メタデータとは、情報の中身を全て調べなくても情報の収集や選択等を効率的に行えるように、例えば、タイトル、制作者、作成日等の基本情報をすぐに使用できる形式で提供したデータである。従って付加情報としては、例えば、野球中継の番組の有名選手がヒットを打ったシーンや守備でファインプレイを行ったシーン等の場合ならば、そのイベントが発生した時間、ピッチャーの名前とカウント数、打球の方向と守備人員の名前、何塁打となったか等を記述したデータである。
【００１２】
サーバ型ディジタル放送方式のサービスでは、この付加情報が、各番組の映像情報および音声情報と同時に各シーン等の内容を示すデータとして送信されるので、この付加情報および蓄積部を利用することにより、例えば、前述した野球中継ならば、好みの有名選手の打撃シーンのみを検索したり、得点シーンと各回の最終打者を検索することで短時間で番組の概要を知ることができるといった多彩な視聴が可能となる。
【００１３】
実施の形態１．
図１は、本発明の実施の形態１のデジタル放送記録再生装置の概略構成を示すブロック図である。
【００１４】
図１の本実施の形態に係るデジタル放送記録再生装置１において、第１のチューナ２〜第Ｎのチューナ２ａは、サーバ型デジタル放送方式で送信される任意の番組の映像情報及び音声情報に加えて番組内容を示す付加情報を受信可能であり、アンテナから入力したデジタル放送信号に対して、例えば、選局、復調、誤り訂正を施す複数（Ｎ：Ｎ＞１の整数）の受信部である。本実施形態では受信部がＮ＞１の複数であることから、複数の番組を同時に受信することが可能である。
【００１５】
第１のデマルチプレクサ３〜第Ｎのデマルチプレクサ３ａは、各番組毎に映像情報及び音声情報に加えて番組内容を示す付加情報を各々の受信された情報から抽出する、すなわち、各々対応する第１のチューナ２〜第Ｎのチューナ２ａから出力される受信情報から、受信する番組の音声（オーディオ）情報、映像（ビデオ）情報等のストリームと、番組に付随する付加情報を抽出する情報抽出部である。
【００１６】
第１の入力選択部４〜第Ｎの入力選択部４ａは、前段から入力する各番組毎に、受信部（第１のチューナ２〜第Ｎのチューナ２ａ）で受信した番組の映像情報／音声情報と、蓄積部１３から読み出された番組の映像情報／音声情報とから、後段に出力する映像情報／音声情報を選択するものである。番組選択部５は、第１の入力選択部４〜第Ｎの入力選択部４ａから出力される各番組から任意の１番組の情報を選択するものである。第１の入力選択部４〜第Ｎの入力選択部４ａおよび番組選択部５を総称して選択部とする。
【００１７】
付加情報解析部６は、入力部（７、１７、１８、１９）等によりキーワードを予め格納しておき、任意の番組の受信中に他の番組の付加情報を解析してキーワードを抽出し、格納されているキーワードと一致するか否かを検出し、キーワードが一致した場合（イベントが発生した場合）に、録画制御部８に対して対応する番組の対応シーンにインデックスを付加するように指示すると共に、キーワードに一致する番組の対応シーンが検出されたことを示す検出通知を出力する。
【００１８】
入力制御部７は、文字入力部１８および選択入力部１９からの入力内容に基づきディジタル放送記録再生装置１内の各部に指示を出力する。ユーザＩ／Ｆ（インターフェース）１７は、文字入力部１８および選択入力部１９からの入力内容をディジタル放送記録再生装置１内で処理可能な信号に変換して出力する。文字入力部１８は、例えば、キーボード、あるいはタブレット等の文字を入力するものである。選択入力部１９は、少なくとも決定か非決定かを入力する決定キーと、表示画面上で選択できる場合の矢印キーあるいはジョイスティック等の選択キーを有して選択内容を入力するものである。入力制御部７、ユーザＩ／Ｆ１７、文字入力部１８、及び、選択入力部１９を総合して入力部とし、予め使用者が視聴を希望する番組の種類を示す任意の文字列で指定されるキーワードを入力する。
【００１９】
録画制御部８は、各番組の映像情報及び音声情報の蓄積部１３への蓄積を制御すると共に、その蓄積時にその蓄積する映像情報及び音声情報に対してインデックスを付加する。また、録画制御部８は、再生制御部１０が、映像／音声出力部１５が出力した検出通知により検出された番組の対応シーンを再生するように指示された場合、キーワードに対応する番組の対応シーンが再生される前に視聴されていた番組の蓄積を開始することができる。
【００２０】
録画用バッファ９は、例えば、録画制御部８が、情報抽出部である第１のデマルチプレクサ３からの第１の番組を録画すると同時に、第Ｎのデマルチプレクサ３ａからの第２の番組の録画を同時に行う場合のような、複数系統の受信信号を蓄積するために同時に蓄積部へアクセスする時に、複数系統の何れかのデータを一時的にバッファリングし、データが破綻しないようにするためのものである。
【００２１】
再生制御部１０は、蓄積されていた番組の映像情報及び音声情報の読み出しを制御し、蓄積と同時に蓄積済みの映像情報及び音声情報の読み出しが可能である。また、再生制御部１０は、映像／音声出力部１５が出力した検出通知により検出された番組の対応シーンを再生するように指示された場合、対応シーンの読み出しを開始して、対応シーンの読み出し終了後、対応シーンの再生される前に視聴されていた番組の読み出しを開始することができる。
【００２２】
再生用バッファ１１は、例えば、再生制御部１０が、選択部である第１の入力選択部４への第１の番組を再生すると同時に、第Ｎの入力選択部４ａへの第２の番組の再生を同時に行う場合のような、複数系統の蓄積された受信信号を再生するために同時に蓄積部へアクセスする時に、複数系統の何れかのデータを一時的にバッファリングし、データが破綻しないようにするためのものである。
【００２３】
ストレージＩ／Ｆ（インターフェース）１２は、映像情報及び音声情報を蓄積部１３に入出力させる際のデータ変換等を実施する。蓄積部１３は、受信部で受信した各番組のうち２番組以上の映像情報及び音声情報を同時に蓄積可能である。
【００２４】
映像／音声復号部１４は、番組選択部５から出力される映像情報及び音声情報を復号する。
映像／音声出力部１５は、画像表示／音声出力装置に復号された映像情報と音声情報を出力すると共に、キーワードに一致する番組の対応シーンが検出されたことを示す検出通知を画像表示／音声出力装置に表示させる。
【００２５】
付加情報解析部６内には、第１のデマルチプレクサ３〜第Ｎのデマルチプレクサ３ａから出力される各番組の付加情報を解析してキーワードを抽出するキーワード抽出部２１と、入力部（７、１７、１８、１９）等から入力するキーワードを格納しておくキーワード記憶部２２と、キーワード抽出部２１で抽出されたキーワードと格納されているキーワードとキーワード記憶部２２に格納されたキーワードが一致するか否かを検出するキーワード一致検出部２３と、キーワードが一致した場合に、録画制御部８に向けて対応する番組の対応シーンにインデックスを付加するように指示するインデックス指示部２４と、キーワードが一致した場合に、映像／音声出力部１５に向けてキーワードに一致する番組の対応シーンが検出されたことを示す検出通知を出力するイベント発生通知部２５を備える。
【００２６】
映像／音声出力部１５内には、イベント発生時に画像表示／音声出力装置に表示させるための基本的な表示データ（キーワードに一致する番組の対応シーンが検出された＝イベントが発生したことを示す検出通知の表示データを含む）を格納する表示画面データ記憶部３１と、イベントがどの裏番組のいつ頃に発生したか等の使用者に通知する情報を格納する通知情報記憶部３２と、表示画面データ記憶部３１の表示データと通知情報記憶部３２に格納された使用者に通知する情報を用いて画面上に表示させる通知情報を生成する通知情報生成部３３と、映像／音声復号部１４で復号された映像情報と音声情報と通知情報生成部３３で生成した通知情報を合成して画像表示／音声出力装置に出力する画像合成部３４を備える。
【００２７】
図２は、図１の録画制御部８の内部構成を示すブロック図である。
図２の録画制御部８内には、付加情報解析部６から出力されたインデックス付加指示により、蓄積される番組の対応シーンの映像情報と音声情報に付加するインデックス情報を生成するインデックス生成部４１と、インデックス生成部４１で生成されたインデックス情報を前記各番組の各対応シーンと対応させて格納するインデックス記憶部４２を備える。
【００２８】
図３は、復号された映像情報に通知情報が合成されて画像表示／音声出力装置に表示された状態を示す図である。
【００２９】
図３では、復号された第１の番組の視聴画面の映像２０１の右上に、裏番組で使用者が予め指定しておいたキーワードに一致する番組の対応シーンが検出されたこと（イベントが発生したこと）を示すイベント通知２０２が合成されて表示されている。また、本実施の形態では、イベント通知２０２には、モニタ画面上で表示ボタンの役割を待たせており、例えば、選択入力部１９で選択することにより、キーワードの対応シーンの再生が開始されるようになっている。
【００３０】
図４は、図１に示したデジタル放送記録再生装置で任意の番組の視聴中に裏番組でキーワードに一致する対応シーンが検出された場合の動作を示すフローチャートである。
【００３１】
概略的には、例えば、第１の番組を視聴者が視聴する場合には、アンテナから入力したデジタル放送信号は、第１チューナ２〜第Ｎチューナ２ａで選局、復調、誤り訂正が施され、第１デマルチプレクサ〜第Ｎデマルチプレクサで受信したい番組の音声情報、映像情報等のストリームと番組に付随する付加情報が抽出される。ここで、使用者が現在放送されている第１の番組の視聴を希望する場合には、第１入力選択部に第１デマルチプレクサの出力を選択するような指示と共に、番組選択部５に第１入力選択部４の出力を選択するように指示が入力部からなされ、第１入力選択部４が第１デマルチプレクサ３からの出力である第１の番組の映像情報／音声情報のストリームを選択し、そのストリームの信号が番組選択部５でも選択されて映像／音声復号部１４に出力される。映像／音声復号部１４でデコード処理された第１の番組の映像情報／音声情報は、映像／音声出力部１５を経由して画像表示／音声出力装置へ出力され、そのディスプレイに第１の番組が表示される。
【００３２】
本実施形態のデジタル放送記録再生装置１では、例えば、使用者が文字入力部１８から、予め視聴を希望する番組の種類を示す任意の文字列で指定されるキーワードを複情報解析部６のキーワード記憶部２２に格納しておく（Ｓ１）。
【００３３】
例えば、使用者が第１の番組である歌番組を視聴中に、第２の番組である裏番組で野球中継が行われており、使用者は、野球中継の得点シーンのみを逃さずに視聴を希望する場合とする。この場合、使用者は、リモコンあるいは音声入力装置等の入力部を用いて、この意志を例えば「得点シーン」というキーワードで入力し、キーワード記憶部２２に設定しておく。
【００３４】
その後、使用者は、裏番組として第ｎ（ｎ：１≦ｎ≦Ｎの任意の整数）の番組の録画を開始する（Ｓ２）と共に、任意に選択した第１の番組の視聴を開始（または再開）する（Ｓ３）。従って、本実施形態のサーバ型デジタル放送方式では、送信される任意の複数の番組の映像情報及び音声情報に加えて番組内容を示す付加情報が受信されている。
【００３５】
複情報解析部６のキーワード抽出部２１では、第ｎの番組の付加情報を解析してキーワードを抽出し（Ｓ４）、キーワード一致検出部２３では、抽出されたキーワードとキーワード記憶部２２に格納されたキーワードが一致するか否かを判断し（Ｓ５）、キーワードが一致しない場合（Ｓ５：ＮＯ）には第ｎ番組の録画を終了するか否かを判断する（Ｓ６）。録画を終了する場合（Ｓ６：ＹＥＳ）には、ステップＳ２４に進んで第ｎの番組の録画処理を終了し、録画を終了しない場合（Ｓ６：ＮＯ）には、再びステップＳ５に戻ってキーワードが一致するか否かを判断する。従って、任意の第１の番組の受信中に他の第ｎの番組の付加情報を解析してキーワードを抽出し、格納されているキーワードと一致するか否かを検出している。
【００３６】
例えば、使用者が第１の番組（音楽番組）を視聴中に、第Ｎチューナ２ａおよび第Ｎデマルチプレクサ３ａは、裏番組である第２の番組（野球中継）を抽出し、第２の番組が録画制御部８、ストレージＩ／Ｆ１２を経由して蓄積部１３に録画される。また、その際に同時に第Ｎデマルチプレクサ３ａから出力される番組付加情報を付加情報解析部６で解析され、使用者が入力したキーワード「得点シーン」と一致する付加情報が到来したか否かが判断されている。
【００３７】
キーワードが一致する場合（Ｓ５：ＹＥＳ）には、付加情報解析部６は、録画制御部８に向けて録画中の番組のキーワードが一致した対応シーンに対してインデックスを付加して録画するように指示を送出する（Ｓ７）と共に、映像／音声出力部１５に向けてキーワードに一致する番組の対応シーンが検出されたこと（イベント発生）を示す検出通知を出力する。この検出通知は、言わばイベント発生通知を画像表示／音声出力装置に出力させる指示であり、通知の表示に必要となる付加情報と共に送出される（Ｓ８）。
【００３８】
例えば、もし使用者が入力したキーワードと一致する付加情報が検出された場合、録画制御部８にインデックス付加指示が出力され、録画制御部８は、付加情報が示す得点シーンの録画位置を示すインデックス情報を蓄積部１３に記録する。それと共に、付加情報解析部６は、映像／音声出力部１５に通知情報を出力するように指示を出力し、図３に示すような画面出力を行わせ、使用者に裏番組の野球放送で得点シーンが発生したことを通知する。
【００３９】
イベント発生通知の出力指示を受けた映像／音声出力部１５では、例えば、表示画面データ記憶部３１からイベント発生通知の基本となる画面データを読み出すと共に、受信した通知の表示に必要となる付加情報を通知情報記憶部３２に格納する。次に、通知情報生成部３３で、イベント発生通知の基本となる画面データと通知の表示に必要となる付加情報とから、今回の対応シーンに対するイベント発生通知を生成し、画像合成部３４で第１の番組の映像情報と生成したイベント発生通知を合成して画像表示／音声出力装置へ出力する。その結果、画像表示／音声出力装置にイベント発生通知が表示される（Ｓ９）。
【００４０】
画像表示／音声出力装置に表示されたイベント発生通知を見た使用者が、文字入力部１８および選択入力部１９等の入力部を使用して、そのイベントの対応シーンの視聴を選択したか否かの指示入力を判断し（Ｓ１０）、そのイベントの対応シーンの視聴が選択されない場合（Ｓ１０：ＮＯ）には第ｎ番組の録画を終了するか否かを判断する（Ｓ１１）。録画を終了する場合（Ｓ１１：ＹＥＳ）には、ステップＳ２４に進んで第ｎの番組の録画処理を終了し、録画を終了しない場合（Ｓ１１：ＮＯ）には、再びステップＳ１０に戻ってそのイベントの対応シーンの視聴を選択するか否かを判断する。
【００４１】
そのイベントの対応シーンの視聴が選択された場合（Ｓ１０：ＹＥＳ）には、再生制御部１０は、録画制御部８内のインデックス記憶部４２からそのイベントの対応シーンに関するインデックス情報を取得し（Ｓ１２）、蓄積部１３から第ｎ番組の対応シーンを、そのインデックス情報を用いて蓄積部１３から読み出し（再生）を開始する（Ｓ１３）。それと共に、録画制御部８では、使用者がその対応シーンの再生の前まで視聴していた第１の番組の蓄積（録画）を開始する（Ｓ１４）。
【００４２】
例えば、使用者により、視聴中の歌番組よりも裏番組の得点シーンを見ることが優先されて表示されたイベント通知が選択された場合、再生制御部１０は、その得点シーンに関連付けされたインデックス情報を、録画制御部のインデックス記憶部４２から読み込み、蓄積装置１３からそのインデックス情報に基づいて得点シーンのデータを読み出す。また、例えば、裏番組のキーワード対応シーンを再生中は、付加情報解析部６は、その前に視聴していた番組の録画を開始させるため、録画制御部８に第１デマルチプレクサ３の出力を録画するように指示を出力する。その結果、録画制御部８は第１の番組の録画と第Ｎの番組の録画を同時に行うことになる。録画用バッファ９は、このような複数系統の蓄積部１３へのアクセス時にデータを一時的にバッファリングし、録画用のデータが破綻しないようにするためのものである。
【００４３】
蓄積部１３から読み出されたそのイベントの対応シーンが入力される第ｎ入力選択部では、第ｎのマルチプレクサからの映像情報と音声情報に代えて、読み出されたそのイベントの対応シーンの映像情報と音声情報が選択されるように切り替えられ（Ｓ１５）、番組選択部５は、第ｎ入力選択部４ａの出力を選択するように切り替えられる（Ｓ１６）。
【００４４】
例えば、使用者が裏番組のイベント通知２０２を選択することにより、第Ｎ入力選択部４ａは再生制御部１０の出力を選択し、番組選択部５は第Ｎ入力選択部４ａの出力を選択する。この結果、得点シーンの映像情報／音声情報が映像／音声復号部１５でデコードされ、映像／音声出力部１５から画像表示／音声出力装置に出力され、そのディスプレイ（モニター）に得点シーンが再生される。なお、ここでは使用者によりキーワードを入力させたが、それに代えて、これまでの使用者の視聴履歴データを蓄積しておき、その視聴履歴データを解析することで使用者の視聴したい嗜好情報推測し、この使用者の嗜好情報を元にキーワードを生成してもよい。
【００４５】
対応シーンの視聴中に、使用者が、文字入力部１８および選択入力部１９等の入力部を使用して、そのイベントの対応シーンの視聴を終了するか否かの指示入力を判断し（Ｓ１７）、そのイベントの対応シーンの視聴が終了されない場合（Ｓ１７：ＮＯ）には、そのキーワードに一致した対応シーン（イベント）が終了したか否かを判断する（Ｓ１８）。そのイベントの対応シーンが終了しない場合（Ｓ１８：ＮＯ）には、第ｎ番組の録画を終了するか否かを判断する（Ｓ１９）。録画を終了しない場合（Ｓ１９：ＮＯ）には、再びステップＳ１７に戻って視聴者の終了指示入力の判断およびステップＳ１８のイベントの終了の判断を行う。
【００４６】
使用者によりイベントの対応シーンの視聴が終了される場合（Ｓ１７：ＹＥＳ）と、録画を終了する場合（Ｓ１９：ＹＥＳ）には、蓄積部１３に蓄積されていた第１番組の読み出し（再生）が開始され、第１入力選択部４が、第１のマルチプレクサからの映像情報と音声情報に代えて、読み出された第１番組の映像情報と音声情報が選択されるように切り替えられ（Ｓ２１）、第ｎ入力選択部の入力が、蓄積部側から第ｎマルチプレクサ側に切り替えられ（Ｓ２２）、番組選択部５は、第１入力選択部４の出力を選択するように切り替えられ（Ｓ２３）、録画制御部８により第ｎの番組の録画処理が終了される（Ｓ２４）。
【００４７】
例えば、第Ｎの番組のキーワード対応シーン（得点シーン）が終了した場合、または、使用者がキーワード対応シーン視聴を終了した場合、以前見ていた第１の番組（歌番組）を視聴中断部分から再生するために、番組選択部５および入力選択部４を第１の番組の録画データを選択するように切り替え、蓄積部１３に録画された第１の番組を再生する。この時、第１の番組が終了するまで蓄積部１３への録画動作が継続されているので、使用者は、第２の番組である裏番組の得点シーンも視聴でき、第１の番組（歌番組）を放送時間とは時間差（タイムシフト）で全て視聴できることになる。また、例えば、第２の番組である裏番組の得点シーンの発生が通知されても、その得点シーンよりも、第１の番組である歌番組を引き続き視聴したい場合には、第１の番組である歌番組の終了後に、第２の番組である野球中継を通常の再生、あるいは、タイムシフト再生することにより全番組を視聴することができ、さらに、インデックスが付加された得点シーンのみを通常の再生、あるいは、タイムシフト再生で視聴することができる。
【００４８】
このように本実施形態では、付加情報の解析結果が特定のキーワードと一致した場合に録画制御部に記録中の番組の対応シーンにインデックスを付加するように指示し、さらに表示手段にキーワード対応シーン検出通知を表示するよう指示するようにしたので、本デジタル放送記録再生装置を使用する使用者は、裏番組のキーワード対応シーンの存在を知ることができ、これを任意の時点で視聴することができる。
【００４９】
また、本実施形態では、使用者がキーワード対応シーン検出通知の表示により録画済みの該当シーンを再生中に、その直前に視聴していた番組の表示されない期間の録画を行うようにしたため、裏番組のキーワード対応シーンの視聴を開始する際に、それ以前に視聴していた番組の録画を開始するため、裏番組のキーワード対応シーンの視聴が終了した後には、以前視聴していた番組の中断箇所から再生して見逃さずに全番組を視聴することができる。
【００５０】
実施の形態２．
実施の形態１は、使用者が視聴したいキーワード対応シーンのある裏番組をすべて録画する場合であるが、使用者が裏番組の全ての視聴は必要ない場合には、キーワード対応シーンのみを録画するようにしてもよい。以下に説明する実施の形態２のデジタル放送記録再生装置では、キーワード対応シーンのみを録画する場合について説明する。
【００５１】
図５は、本発明の実施の形態２のデジタル放送記録再生装置の概略構成を示すブロック図である。
【００５２】
本実施の形態の構成と、図１に示した実施の形態１の構成と相違する点は、以下の各点であり、その他の構成は同様である。
【００５３】
図５に示した本実施形態のデジタル放送記録再生装置１ａでは、図１に示した実施の形態１の構成に加えて、付加情報解析部６ａの中に、録画制御部８に向けて録画開始指示と、録画終了指示を出力するための録画開始／終了指示出力部２６を備えている。
【００５４】
録画開始／終了指示出力部２６は、キーワード一致検出部２３で設定されたキーワードに対応するシーン（イベント）が検出されることにより、インデックス指示部２４から出力されるインデックス付加指示と共に記録開始指示を録画制御部８に出力する。そして、録画開始／終了指示出力部２６は、キーワード一致検出部２３で設定されたキーワードに対応するシーン（イベント）が検出されなくなったら、記録終了指示を録画制御部８に出力する。
【００５５】
図６は、図５に示したデジタル放送記録再生装置で任意の番組の視聴中に裏番組でキーワードに一致する対応シーンが検出された場合の動作を示すフローチャートである。
【００５６】
本実施の形態の動作と、図４に示した実施の形態１の動作と相違する点は、以下の各点であり、その他の動作は同様である。
【００５７】
（１）使用者が裏番組として第ｎの番組の録画を開始するステップＳ２が無くなる点、
【００５８】
（２）ステップＳ５で、キーワード一致検出部２３で、抽出されたキーワードとキーワード記憶部２２に格納されたキーワードが一致しない場合（Ｓ５：ＮＯ）には、再びステップＳ５に戻ってキーワードが一致するか否かを判断する点。
【００５９】
（３）ステップＳ１１で、使用者がそのイベントの対応シーンの視聴を選択しない場合（Ｓ１０：ＮＯ）には、まず、そのイベントが終了したか否かを判断する（Ｓ３３）。イベントが終了した場合（Ｓ３３：ＹＥＳ）には、ステップＳ３４に進んで第ｎの番組の録画処理を終了し、イベントが終了しない場合（Ｓ３３：ＮＯ）には、再びステップＳ１０に戻ってそのイベントの対応シーンの視聴を選択するか否かを判断する点。
【００６０】
（４）ステップＳ２２で、第ｎ入力選択部の入力が蓄積部側から第ｎマルチプレクサ側に切り替えられた後には、録画制御部８により第ｎの番組の録画処理が終了され（Ｓ３４）てから、番組選択部５は、第１入力選択部４の出力を選択するように切り替えられる（Ｓ２３）ため、ステップＳ２４は無くなる点。
【００６１】
（５）ステップＳ２３の後に、第ｎ番組の録画を終了するか否かを判断する（Ｓ３５）。録画を終了しない場合（Ｓ３５：ＮＯ）には、再びステップＳ４に戻って次のイベントの発生に備え、録画を終了する場合（Ｓ３５：ＹＥＳ）には、処理を終了する点。
【００６２】
したがって、本実施形態のデジタル放送記録再生装置では、付加情報解析部６ａは、キーワードが一致した場合に、録画制御部８に対してキーワードに一致する番組の対応シーンの記録を開始するように指示しており、使用者が第１の番組を視聴中に、裏番組である第２の番組のキーワード対応シーンのみを録画することができる。
【００６３】
このように本実施形態では、実施の形態１のように裏番組を全て録画する必要が無くなるので、実施の形態１の効果に加えて、蓄積部の記録領域を効率的に使用できるという効果がある。
【００６４】
実施の形態３．
上記した実施の形態２では、例えば、裏番組のキーワードに対応するシーンを録画する場合、キーワードの一致を確認してから録画を開始するため、野球の得点シーンの打つ瞬間等のキーワードに対応するシーンが発生した瞬間は見ることができず、その後の打球の行き先場面や走塁場面しか見ることができない可能性がある。また、例えば、その得点シーンの打つ瞬間よりも少し前のピッチャーの投球や得点シーンの直前の打者が打席に入るシーンから見たい場合もあるが、実施の形態２では視聴することは不可能である。以下に説明する実施の形態３のデジタル放送記録再生装置では、キーワード対応シーンの発生した瞬間、および、その少し前までを録画する場合について説明する。
【００６５】
図７は、本発明の実施形態３のデジタル放送記録再生装置の蓄積部１３ａの内部に設けられた第１及び第２の一時記憶部を示す図である。
【００６６】
本実施の形態の構成と、図１に示した実施の形態１の構成と相違する点は、蓄積部１３ａの内部のみであり、その他の構成は同様である。
【００６７】
第１一時記憶部３０１と第２一時記憶部３０２は、記憶させる映像情報及び音声情報を数十秒から数分程度遅延させて主記憶装置（不図示）に格納させるために一時的に記憶する記憶部であり、蓄積部１３ａ内に設けられる。
【００６８】
第１一時記憶部３０１と第２一時記憶部３０２は、蓄積部１３ａの主記憶装置と別の装置として設けることもできるが、主記憶装置の一部領域を利用して設けても良い。また、例えば、第１一時記憶部３０１と第２一時記憶部３０２の記憶容量は同一であり、それらの記憶可能時間毎に交互にテンプラリバッファとして利用する。つまり、第１一時記憶部３０１に書き込んでいって記憶容量が一杯になったら、次のデータから第２一時記憶部３０２に書き込んでいくようにする。そして、第２一時記憶部３０２に書き込んでいって記憶容量が一杯になったら、次のデータから第１一時記憶部３０１に戻って上書きで書き込んでいくようにする。以上の処理を繰り返す。
【００６９】
そして、例えば、第１一時記憶部３０１に上書き中にキーワードの一致が検出されてイベントが発生した場合には、録画制御部８は、第２一時記憶部３０２に一時記憶された映像情報及び音声情報と、第１一時記憶部３０１に上書きされた映像情報及び音声情報を含めて主記憶装置に書き込んでいく。また、第２一時記憶部３０２に上書き中にキーワードの一致が検出されてイベントが発生した場合には、録画制御部８は、第１一時記憶部３０１に一時記憶された映像情報及び音声情報と、第２一時記憶部３０２に上書きされた映像情報及び音声情報を含めて主記憶装置に書き込んでいく。
【００７０】
このように蓄積部１３ａに、第１一時記憶部３０１および第２一時記憶部３０２に一時記憶された情報を含めて格納することで、イベントの発生時点に対して数十秒から数分程度前からの映像情報及び音声情報を蓄積部１３ａ内の主記憶装置に書き込んでいくことができる。その他の動作は実施の形態１と同様である。
【００７１】
したがって、蓄積部１３ａ内には、蓄積前の各番組毎の映像情報及び音声情報を所定時間分だけ一時的に記憶できる複数の一時記憶部３０１、３０２を備え、録画制御部８は、対応する番組の対応シーンの記録を開始する指示を受信する前の各番組毎の映像情報及び音声情報を、各一時記憶部３０１、３０２に交互あるいは順次一時記憶させておき、対応する番組の対応シーンの記録を開始する指示の受信時には、その各一時記憶部３０１、３０２の映像情報及び音声情報を含めて蓄積部１３ａ内の主記憶装置に蓄積し、再生制御部１０は、一時記憶部３０１、３０２の映像情報及び音声情報から読み出すことになる。
【００７２】
従って、本実施の形態では、上記した実施形態１の効果に加えて、例えば、野球の得点シーンの打つ瞬間等のキーワードに対応するシーンが発生した瞬間も確実に蓄積しておくことができ、また、その得点シーンの打つ瞬間よりも少し前のピッチャーの投球や得点シーンの直前の打者が打席に入るシーン等も蓄積しておき再生できるので、使用者がキーワード設定したシーンに関連して視聴を希望するシーンを逃さずに記録しておき視聴することができるという効果がある。
【００７３】
実施の形態４．
上記した実施の形態１では、裏番組のキーワードに対応するシーンを検出した時の通知は、画像表示／音声出力装置に出力する映像情報と合成してディスプレイ（モニタ）上の一部の領域にオーバレイ表示していたが、使用者の中には、ディスプレイ（モニタ）上の一部にキーワード対応シーンが裏番組で発生したことの通知が表示されることで、元の番組の映像の一部が欠けてしまうことを好ましくないと思う場合がある。以下に説明する実施の形態４のデジタル放送記録再生装置では、キーワード対応シーンの発生をデジタル放送記録再生装置の情報表示部に文字あるいは画像により表示する場合について説明する。
【００７４】
図８は、本発明の実施の形態４のデジタル放送記録再生装置の概略構成を示すブロック図である。
【００７５】
図８に示した本実施形態のデジタル放送記録再生装置１ｃでは、図１に示した実施の形態１の映像／音声出力部１５の内部構成（表示画面データ記憶部３１、通知情報記憶部３２、通知情報生成部３３、画像合成部３４）に代えて、例えば、ＥＬ（エレクトロルミネッセンス）表示管あるいは液晶表示パネル等に任意の文字を表示可能な文字情報表示部５０を有している。その他の構成は、実施の形態１と同様である。
【００７６】
文字情報表示部５０の内部には、例えば、付加情報解析部６からのイベント発生通知を出力させる指示を判別するための指示内容判別部５１と、イベントが発生した通知を表示するための基礎情報と上記出力指示に付随して受信した通知内容の情報を記憶する通知情報記憶部５２と、受信した通知内容と基礎情報から表示させる通知情報を生成して表示部５４を駆動する通知情報生成部５３と、ＥＬ表示管あるいは液晶表示パネル等からなる表示部５４を備えている。
【００７７】
図９は、図８のデジタル放送記録再生装置１ｃの表示部５４に通知情報が表示されたようすを示す斜視図である。
【００７８】
図９に示すようにデジタル放送記録再生装置１ｃの文字表示部５４には、裏番組でキーワード対応シーンが発生したことを示すイベント通知情報を表示するための領域５５が設けられ、付加情報解析部６からのイベント発生通知出力指示により、イベントの発生通知が表示される。その他の動作は実施の形態１と同様である。
【００７９】
このように本実施形態では、キーワードに一致する番組の対応シーンが検出されたことを文字情報により表示する文字情報表示部５０を備え、付加情報解析部６は、キーワードに一致する番組の対応シーンが検出されたことを示す検出通知を表示するように、文字情報表示部５０に対して指示する。
【００８０】
本実施の形態は、上記のようにデジタル放送記録再生装置の情報表示部にキーワード対応シーンの発生（イベントの発生）を文字あるいは画像により表示させるようにしたため、使用者がディスプレイ上の一部にキーワード対応シーンが裏番組で発生したことの通知が表示されることを不快に感じることが無くなり、好ましい画像表示を得ることができるという効果がある。
【００８１】
実施の形態５．
上記した実施の形態４では、キーワード対応シーンの発生をデジタル放送記録再生装置の情報表示部に文字あるいは画像等により表示したが、より単純な発光表示部のみにより通知する場合について説明する。
【００８２】
図１０は、本発明の実施の形態５のデジタル放送記録再生装置の概略構成を示すブロック図である。
【００８３】
図１０に示した本実施形態のデジタル放送記録再生装置１ｄでは、図１に示した実施の形態１の映像／音声出力部１５の内部構成（表示画面データ記憶部３１、通知情報記憶部３２、通知情報生成部３３、画像合成部３４）に代えて、例えば、ＬＥＤ（発光ダイオード）あるいは電球等の任意の点滅表示可能なイベント発生通知表示部６０を有している。その他の構成は、実施の形態１と同様である。
【００８４】
イベント発生通知表示部６０の内部には、例えば、付加情報解析部６からのイベント発生通知を出力させる指示により発光表示部６２を駆動あるいは通電して発光させるための表示部駆動部６１と、ＬＥＤあるいは電球等からなる発光表示部６２を備えている。
【００８５】
図１１は、図１０のデジタル放送記録再生装置１ｄの発光表示部６２が駆動あるいは通電されたようすを示す斜視図である。
【００８６】
図１１に示すようにデジタル放送記録再生装置１ｄには、裏番組でキーワード対応シーンが発生したことを示すイベント通知情報を表示するための発光表示部６２が設けられ、付加情報解析部６からのイベント発生通知出力指示により、発光表示部６２が発光されることで、イベントの発生が通知される。その他の動作は実施の形態４と同様である。
【００８７】
このように本実施形態では、キーワードに一致する番組の対応シーンが検出されたことを光の点灯により報知する発光表示部６２を備え、付加情報解析部６は、キーワードに一致する番組の対応シーンが検出されたことを示すように、発光表示部６２を発光させる。
【００８８】
本実施の形態は、上記のようにデジタル放送記録再生装置の情報表示部にキーワード対応シーンの発生（イベントの発生）を発光表示部の点滅により通知するようにしたため、実施の形態４の効果に加え、構成を簡単にできることから設計および製造が容易になり製造コストを低減できるという効果がある。
【００８９】
実施の形態６．
上記した実施の形態４および５では、キーワード対応シーンの発生をデジタル放送記録再生装置上に光学的に表示したが、例えば、デジタル放送記録再生装置上に充分な表示スペースを設けることができない場合や、複数のＬＥＤ発光部がある場合等には単にＬＥＤを発光させるだけでは使用者がすぐにキーワード対応シーンを認識できない場合がある。また、例えば、使用者が画像表示画面に集中している場合にはデジタル放送記録再生装置上の光学的な表示には気付きにくい場合があり、あるいは、移動体のディスプレイの中には移動体の動作中はモニタ表示されないものがあり、移動体の運転中には視線をデジタル放送記録再生装置上に動かし辛い場合がある。そのような場合には本発明は音により通知することもできる。以下に説明する実施の形態６では、報知音によりキーワード対応シーンの発生を使用者に通知する場合について説明する。
【００９０】
図１２は、本発明の実施の形態６のデジタル放送記録再生装置の概略構成を示すブロック図である。
【００９１】
図１２に示した本実施形態のデジタル放送記録再生装置１ｅでは、図１に示した実施の形態１の映像／音声出力部１５の内部構成（表示画面データ記憶部３１、通知情報記憶部３２、通知情報生成部３３、画像合成部３４）に代えて、例えば、ブザーあるいはチャイム等の任意の報知音を出力可能なイベント発生報知音出力部７０を有している。その他の構成は、実施の形態１と同様である。
【００９２】
イベント発生報知音出力部７０の内部には、例えば、付加情報解析部６からのイベント発生通知を出力させる指示により報知音発生部７２を駆動あるいは通電して報知音を発生させるための報知音駆動部７１と、ブザーあるいはチャイム等からなる報知音発生部７２を備えている。
【００９３】
デジタル放送記録再生装置１ｅには、裏番組でキーワード対応シーンが発生したことを示すイベント通知を報知するための報知音発生部７２が設けられ、付加情報解析部６からのイベント発生通知出力指示により、報知音発生部７２から報知音が出力されることで、イベントの発生が通知される。その他の動作は実施の形態４と同様である。
【００９４】
このように本実施形態では、キーワードに一致する番組の対応シーンが検出されたことを音により報知する報知音出力部７０を備え、付加情報解析部６は、キーワードに一致する番組の対応シーンが検出されたことを示すように、報知音出力部７０から報知音を出力させる。
【００９５】
本実施の形態は、上記のようにデジタル放送記録再生装置の情報表示部にキーワード対応シーンの発生（イベントの発生）をブザーあるいはチャイム等の報知音の出力により通知するようにしたため、実施の形態４の効果に加え、デジタル放送記録再生装置上に充分な表示スペースを設けられない場合や、複数の発光部の中でイベント発生通知の発光部が認識しづらい場合、使用者がデジタル放送記録再生装置上の光学的な表示には気付きにくい場合、移動体に適用する場合で動作中にはモニタ表示されないディスプレイである場合、あるいは、移動体の運転中には視線をデジタル放送記録再生装置上に動かし辛い場合でも容易に使用者に通知することができるという効果がある。
【００９６】
実施の形態７．
上記した実施の形態６では、報知音によるキーワード対応シーンの発生の通知のため、例えば、１つの番組で複数回のイベントが発生した場合や複数の番組でイベントが発生した場合には、音色等を変化させたとしても、その詳細等を通知することは容易ではない。以下に説明する実施の形態７のデジタル放送記録再生装置では、キーワード対応シーンの発生をデジタル放送記録再生装置から音声メッセージにより出力する場合について説明する。
【００９７】
図１３は、本発明の実施の形態７のデジタル放送記録再生装置の概略構成を示すブロック図である。
【００９８】
図１３に示した本実施形態のデジタル放送記録再生装置１ｆでは、図１に示した実施の形態１の映像／音声出力部１５の内部構成（表示画面データ記憶部３１、通知情報記憶部３２、通知情報生成部３３、画像合成部３４）に代えて、例えば、スピーカから任意の音声メッセージを出力可能な音声メッセージ出力部８０を有している。その他の構成は、実施の形態１と同様である。
【００９９】
音声メッセージ出力部８０の内部には、例えば、付加情報解析部６からのイベント発生通知を出力させる指示を判別するための指示内容判別部８１と、イベントが発生したことを示す音声メッセージの基礎情報と上記出力指示に付随して受信した通知内容の情報を記憶するメッセージ情報記憶部８２と、受信した通知内容とメッセージの基礎情報から出力させる音声メッセージを生成して音声メッセージ出力部８４を駆動するメッセージ情報生成部８３と、スピーカ等からなる音声出力部８４を備えている。
【０１００】
デジタル放送記録再生装置１ｆには、裏番組でキーワード対応シーンが発生したことを示すイベント通知を報知するための音声出力部８４が設けられ、付加情報解析部６からのイベント発生通知出力指示により、音声出力部８４から音声メッセージが出力されることで、イベントの発生およびその内容が通知される。その他の動作は実施の形態６と同様である。
【０１０１】
このように本実施形態では、キーワードに一致する番組の対応シーンが検出されたことを音声により報知する音声メッセージ出力部８０を備え、付加情報解析部６は、キーワードに一致する番組の対応シーンが検出されたことを示す検出通知を報知するように、音声メッセージ出力部８０に対して指示する。
【０１０２】
本実施の形態は、上記のようにデジタル放送記録再生装置の情報表示部にキーワード対応シーンの発生（イベントの発生）を音声メッセージの出力により通知するようにしたため、実施の形態６の効果に加え、そのイベントの発生状況や詳細等の内容を使用者に通知することができるという効果がある。
【０１０３】
実施の形態８．
上記した実施の形態１では、裏番組のキーワード対応シーンの発生通知をモニタ上に表示し、その表示された裏番組イベント通知情報を表示ボタン２０２として用い、その表示ボタン２０２を使用者が選択することでキーワード対応シーンの表示を行っていたが、例えば、複数の裏番組に対してイベント通知をするように設定した場合や、一つの裏番組であっても特定イベントが複数検出された場合には、表示ボタン２０２の数が増加するため、表示ボタンがモニタ画面の端部ばかりでなく中央部付近にも表示され、モニタ上に表示される元の第１の番組の視聴が困難になるばかりか、表示ボタンの認識および選択も容易ではなくなる。以下に説明する実施の形態８のデジタル放送記録再生装置では、裏番組イベント通知情報を表示ボタンを専用の一覧画面上に表示する場合について説明する。
【０１０４】
図１４は、本発明の実施の形態８のデジタル放送記録再生装置の概略構成を示すブロック図である。
【０１０５】
図１４に示した本実施形態のデジタル放送記録再生装置１ｇの映像／音声出力部１５ｂでは、図１に示した実施の形態１の映像／音声出力部１５の内部構成（表示画面データ記憶部３１、通知情報記憶部３２、通知情報生成部３３、画像合成部３４）に加えて、例えば、付加情報解析部６ｂから受信する複数のイベント情報を格納できるイベント情報記憶部３５を有しており、また、付加情報解析部６ｂは、イベント発生通知出力指示に加えて各イベントについての番組名や発生時間等の詳細な情報をイベント情報として出力している。その他の構成は、実施の形態１と同様である。
【０１０６】
図１５は、イベントの一覧画面に通知情報が表示ボタン形式で合成されて画像表示／音声出力装置に表示された状態を示す図である。
【０１０７】
図１５では、基本となるイベントの一覧画面の映像２０１上に、各裏番組Ａ、Ｂ、Ｃ毎に検出されたキーワードの対応シーンの表示ボタンが各々縦列に並んで合成表示されている。番組Ａの対応シーンがイベントＡ１（６０２）、イベントＡ２（６０３）、イベントＡ３（６０４）という表示ボタンで縦列に並び、番組Ｂの対応シーンがイベントＢ１（６０５）、イベントＢ２（６０６）という表示ボタンで縦列に並び、番組Ｃの対応シーンがイベントＣ１（６０７）、イベントＣ２（６０８）、イベントＣ３（６０９）、イベントＣ４１（６１０）という表示ボタンで縦列に並び、それとは別に、元の番組の表示画面に戻る表示ボタン（６１３）が表示されている。また、例えば、図１５のイベント一覧画面では胃画面で表示しきれない番組Ｄ、Ｅ、Ｆ等がある場合やイベントが５個以上ある場合には、各々表示画面を横方向と縦方向にスクロールさせる必要があるため、横スクロールバー６１１と縦スクロールバー６１２を備えている。なお各イベントの表示ボタンには、図１５の表示以外にもイベント内容を示すキーワードを表示したり、各イベント内容を縮小表示するサムネイル画像を表示してもよく、また、選択方法としては、カーソルの移動により該当するイベントの表示ボタンあるいはサムネイルを選択させるようにしてもよい。
【０１０８】
デジタル放送記録再生装置１ｇには、映像／音声出力部１５ｂ内に、複数の裏番組で発生した複数のキーワード対応シーンを示す一覧画面を出力するためのイベント情報記憶部３５が設けられ、付加情報解析部６からのイベント発生通知出力指示およびイベント情報により、キーワード対応シーンを示す一覧画面が画像表示／音声出力装置のモニタに出力されることで、複数の番組の複数のイベントの発生およびその内容が通知される。
【０１０９】
また、実施の形態１では、第１の番組の表示画面の右上に表示ボタンを合成して表示したため、例えば、図４のフローチャートで第１の番組の録画開始をステップＳ１４として、第ｎ番組を蓄積部１３から読み出し開始するタイミングとした。しかし、本実施の形態のようにメニュー画面を表示させる場合には、その時点で第１の番組を視聴することができなくなるので、図４のフローチャートではステップＳ９のイベント発生を表示するタイミングあるいはそれ以前にする必要がある。
【０１１０】
また、複数の裏番組で発生した複数のキーワード対応シーンをイベント情報記憶部３５に蓄積するためには、例えば、実施の形態１の図４のフローチャートでステップＳ１１：ＮＯの場合の戻り先をステップＳ１０ではなく、ステップＳ４として新たな第ｎの番組の付加情報からキーワード一致を検出するようにすれば良い。
【０１１１】
また、例えば、ある程度の数（複数）のキーワード対応シーンが蓄積されてからイベント発生通知としてメニュー表示させたい場合には、デジタル放送記録再生装置１ｇ内に不図示のイベント発生数のカウント手段あるいはタイマー手段等を設けて、図４のステップＳ９の前に所定のイベント発生数に達したか否かを判断し、達した場合にはステップＳ９でメニュー表示させ、達しない場合には第１の番組の視聴終了後にメニュー表示させるか、タイマー手段で第１の番組を視聴中の都合の良い時間にメニュー表示させるようにしても良い。その他の動作は実施の形態１と同様である。
【０１１２】
このように本実施形態では、映像／音声出力部１５ｂは、キーワードに一致して１つの番組中で検出された複数の対応シーン、あるいは、複数の番組中で検出された複数の対応シーンを格納するイベント情報記憶部３５を備え、検出通知としては、検出された各対応シーンを個別に選択できる一覧を画像表示／音声出力装置に出力させている。
【０１１３】
また、本実施形態の動作としては、実施の形態１とは、キーワードが一致した場合のステップでは、対応する番組の対応シーンにインデックスを付加して録画するように指示すると共に、キーワードに一致する番組の対応シーンが検出されたことを示す検出通知を番組毎に一覧形式で対応シーンが表示できるように格納し、さらに、検出通知として一覧形式の対応シーンを表示させるステップが追加され、その一覧形式の対応シーンから選択された番組の対応シーンを再生するように指示が入力された場合のステップでは、キーワードに対応する番組の対応シーンが再生される前に視聴されていた番組の蓄積を開始すると共に対応シーンの読み出しが開始されることになる、という点で異なり、他の動作は同様である。
【０１１４】
本実施の形態は、上記のようにデジタル放送記録再生装置から複数の裏番組イベント通知情報をモニタ画面の一覧画面上に表示ボタン形式で一覧表示するようにしたため、実施の形態１の効果に加え、裏番組でキーワードに対応するシーンが複数発生した場合に、使用者が複数のイベント中から選択する操作を容易にでき、また、各イベントを順次視聴する場合にも、未視聴のイベントの選択が容易になるという効果がある。
【０１１５】
実施の形態９．
上記した実施の形態１では、図４のフローチャートに示したようにステップＳ１８のイベント（裏番組キーワード対応シーン）終了の判断での再生が終了した時（Ｓ１８：ＹＥＳ）には、ステップＳ２０〜Ｓ２３に示したように、以前視聴していた番組１を再生するようにしていた。しかし、上記した実施の形態８に示したようにイベント発生を表示した時点や表示中の追加により複数のイベントがまだ再生されていない場合もありえる。その場合には、実施の形態８のように最初からメニュー表示をさせて使用者に選択させることもできるが、使用者によっては選択しなくても全部のイベント（キーワード対応シーン）を一通り見たいと言う場合がある。
【０１１６】
本実施の形態９は、そのような、イベント発生通知で再生を１回指定するのみで複数のイベントを連続再生できるようにした場合である。
【０１１７】
本実施の形態の構成としては、例えば、図２の録画制御部８内のインデックス記憶部４２には複数のインデックスを順に蓄積できるようにしている。その他の構成は実施の形態８と同様である。
【０１１８】
本実施の形態の動作としては、例えば、図４のフローチャートでステップＳ１８のイベント終了の判断での再生が終了した時（Ｓ１８：ＹＥＳ）に、さらに、別のイベントが有るか否かの判断を追加し、別イベントがある場合には、ステップＳ１２に戻ってそのイベントの情報を取得することで別のイベントを続けて再生させるようにすることである、という点で異なり、他の動作は同様である。
【０１１９】
従って、本実施の形態では、インデックス記憶部４２は、キーワードに一致して１つの番組中で検出された複数の対応シーン、あるいは、複数の番組中で検出された複数の対応シーンのインデックス情報を格納し、再生制御部１０が、映像／音声出力部１５が出力した検出通知により記録された番組の対応シーンを再生するように指示された場合、再生制御部１０は、複数のインデックス情報により蓄積部１３から対応シーンを順次読み出す。
【０１２０】
このように、本実施の形態では、複数のイベントが発生した場合に、キーワード対応シーン検出通知による１回の再生指示で最初の該当シーンの視聴を終了した後に、続けて他の未再生のイベントを再生できるようにしたので、次のイベントを視聴するための操作を省略できるという効果を有する。
【０１２１】
実施の形態１０．
上記した実施の形態１では、イベント終了時には以前視聴していた番組１を再生し、実施の形態８では複数イベント発生時に先にメニュー表示をして選択させ、実施の形態９では、１回のイベント再生指示で複数のキーワード対応シーンを連続再生させたが、例えば、複数のイベント発生時には、最初のイベントの再生が終了して再生内容の状況がある程度わかった後に、使用者がメニューから選択したい場合もありえる。
【０１２２】
本実施の形態１０は、そのような、複数のイベント発生時には、最初は実施の形態１のようにイベント発生通知のみを表示し、そのイベントの再生が終了して再生内容の状況がある程度わかった後に、メニューを表示させて、使用者に再生させるイベントを選択できるようにした場合である。
【０１２３】
本実施の形態の構成としては、例えば、実施の形態８の図１４に示した内容と同様であり、本実施の形態の動作としては、例えば、図４のフローチャートでステップＳ１８のイベント終了の判断での再生が終了した時（Ｓ１８：ＹＥＳ）に、さらに、別のイベントが有るか否かの判断を追加し、別イベントがある場合には、実施の形態８の処理（ステップＳ９でメニュー表示）を実施する。後の動作は、実施の形態８と同様である。
【０１２４】
従って、本実施の形態では、再生制御部１０が、映像／音声出力部１５ｂが出力した検出通知により記録された番組の対応シーンを再生するように指示された場合、再生制御部１０は、複数の対応シーンから選択された対応シーンの読み出しが終了するたびに、一覧を画像表示／音声出力装置に出力させる。
【０１２５】
このように、本実施の形態では、複数のイベントが発生した場合に、キーワード対応シーン検出通知による１回の再生指示で最初の該当シーンの視聴を終了した後に、メニュー表示をさせて他の未再生のイベントから選択して再生できるようにしたので、最初の該当シーンの再生で状況がわかってからのメニュー表示の操作を実施しなくてもメニューから選択でき、次のイベントの視聴を少ない操作で効率よく実施できるという効果を有する。
【０１２６】
実施の形態１１．
上記した各実施の形態では、例えば、野球中継の裏番組としては４試合が別番組として放送されており、その全ての番組で得点シーンの検出を指定する場合のように、複数の裏番組でキーワード対応シーン（イベント）の検出を実施する場合には、蓄積部１３へのアクセスが同時に発生する可能性がある。そのような蓄積部１３に対する同時の複数のアクセスに対応するためには、例えば、高速なストレージＩ／Ｆと高速な蓄積部が必要になるが、一般的に蓄積部に用いられるハードディスク装置や光学ディスク装置等の書込速度はデータの伝送速度に比べて非常に遅いため限界があり、同時の複数のアクセスに対応することが難しい。
【０１２７】
本実施の形態１１は、そのような複数のイベント検出時の蓄積部への同時の複数のアクセスを、より高速に実施するための構成である。
【０１２８】
図１６（ａ）、（ｂ）は、本発明の実施の形態１１の蓄積部の構成であり、図１のストレージＩ／Ｆ１２に対して（第１の）蓄積部１３に加えて同様な第２の蓄積部７０１および第３の蓄積部７０２を並列に接続した構成（ストライピング構成）である。
【０１２９】
図１６（ａ）では、録画制御部８からのデータ１〜６が第１〜第３の各々の蓄積部１３、７０１、７０２に分散されて順次蓄積されるようすを示し、第１蓄積部１３にはデータ１と４が、第２蓄積部７０１にはデータ２と５が、第３蓄積部７０２にはデータ３と６が蓄積されている。
【０１３０】
図１６（ｂ）では、再生制御部１０により各蓄積部１３、７０１、７０２に蓄積されたデータ１〜６が、第１〜第３の各々の蓄積部１３、７０１、７０２から順次読み出されるようすを示し、第１蓄積部１３からはデータ１と４が、第２蓄積部７０１からはデータ２と５が、第３蓄積部７０２からはデータ３と６が読み出されている。その他の構成及び動作は実施の形態８と同様である。
【０１３１】
従って、本実施形態では、複数の蓄積部が、録画制御部８と再生制御部１０に対して並列に接続され、対応シーンの記録及び読み出しアクセスを並列に実施可能である。
【０１３２】
このように、本実施の形態では、録画制御手段及び再生制御部が複数の蓄積部に並列にアクセス可能であるストライピング構成となっているので、蓄積部（記録装置）に同時に記録する番組数が増加した場合にもデータを欠損させることなく録画することができるという効果を有する。
【０１３３】
実施の形態１２．
上記した各実施の形態では、デジタル放送記録再生装置を屋内等に固定設置する場合について説明した。ところで、デジタル放送は車両等の移動体でも受信が可能であるので、上記した各実施の形態は、移動体中に設置される可能性がある。しかし、上記した各実施の形態を移動体中に設置する場合は、安全のために、移動体が停止しているときにのみ映像を出力するように制御する必要がある。以下に説明する実施の形態１２のデジタル放送記録再生装置では、上記した各実施の形態を移動体中に設置する場合について説明する。
【０１３４】
図１７は、本発明の実施の形態１２のデジタル放送記録再生装置の概略構成を示すブロック図である。
【０１３５】
本実施の形態の構成では、実施の形態２の構成に、移動体の動きを検出する動き検出部９１を加え、その動き検出部９１が、再生制御部１０および映像／音声出力部１５に対して出力制御を行うようにしたものである。
【０１３６】
動き検出部９１は、例えば、移動体が車両である場合、その車体が動いているか否かを示す車速パルス情報と、サイドブレーキがかけられているかどうかを示すサイドブレーキ情報とから車体の動きを検出する。動き検出部９１は、車速パルス情報およびサイドブレーキ情報から車体が動いていることを検出した場合、再生制御部１０に対して再生を停止するように指示を出力し、さらに映像／音声出力部１５に対しても映像出力を停止するように指示を出力する。その他の構成は実施の形態２と同様である。
【０１３７】
図１８は、図１７に示したデジタル放送記録再生装置で任意の番組の視聴中に裏番組でキーワードに一致する対応シーンが検出された場合の動作を示すフローチャートである。
【０１３８】
本実施形態のデジタル放送記録再生装置１ｋでは、例えば、使用者が文字入力部１８から、予め視聴を希望する番組の種類を示す任意の文字列で指定されるキーワードを複情報解析部６のキーワード記憶部２２に格納しておく（Ｓ１）。
【０１３９】
例えば、移動体を運転中の使用者が第ｎの番組である野球中継を視聴したい場合であり、使用者は、野球中継の得点シーンのみを逃さずに視聴を希望する場合とする。この場合、使用者は、リモコンあるいは音声入力装置等の入力部を用いて、この意志を例えば「得点シーン」というキーワードで入力し、キーワード記憶部２２に設定しておく。
【０１４０】
使用者が本実施形態のデジタル放送記録再生装置１ｋに対し、第ｎの番組である野球中継を視聴するための操作を実行した場合、動き検出部９１は動きを検出したか否かを判断し（Ｓ４１）、動きが検出できない場合（Ｓ４１：ＮＯ）には、使用者の操作に従って第ｎの番組である野球中継を出力すると共に引き続きステップＳ４１で動きを検出する。
【０１４１】
動きが検出された場合（Ｓ４１：ＹＥＳ）には、再生制御部１０は、再生途中であるか否かを判断し（Ｓ４２）、再生途中である場合（Ｓ４２：ＹＥＳ）には、再生出力を停止させる（Ｓ４３）と共に録画制御部８にインデックス情報付加を指示し（Ｓ７）、映像／音声出力部１５に映像出力も停止させる（Ｓ４４）。
【０１４２】
再生途中ではない場合（Ｓ４２：ＮＯ）には、映像出力を停止させ（Ｓ４４）、複情報解析部６のキーワード抽出部２１で、第ｎの番組の付加情報を解析してキーワードを抽出する（Ｓ４）。
【０１４３】
キーワード一致検出部２３では、抽出されたキーワードとキーワード記憶部２２に格納されたキーワードが一致するか否かを判断し（Ｓ５）、キーワードが一致しない場合（Ｓ５：ＮＯ）には、再びステップＳ５に戻ってキーワードが一致するか否かを判断する。
【０１４４】
キーワードが一致する場合（Ｓ５：ＹＥＳ）には、第ｎ番組の録画を開始して（Ｓ３２）、付加情報解析部６は、録画制御部８に向けて録画中の番組のキーワードが一致した対応シーンに対してインデックスを付加して録画するように指示を送出する（Ｓ７）と共に、映像／音声出力部１５に向けてキーワードに一致する番組の対応シーンが検出されたこと（イベント発生）を示す検出通知を付加情報と共に送出する（Ｓ８）。
【０１４５】
イベント発生通知の出力指示を受けた映像／音声出力部１５では、まず、動き検出部９１で移動体の停車を検出したか否かを判断する（Ｓ４５）。停車が検出できない場合（Ｓ４５：ＮＯ）には、引き続きステップＳ４５で停車を検出する。停車が検出された場合（Ｓ４５：ＹＥＳ）には、映像／音声出力部１５は、映像出力を開始させる（Ｓ４６）と共に再びステップＳ４１に戻って動きを検出し、さらに再生途中であるか否かを判断する（Ｓ４７）。再生途中である場合（Ｓ４７：ＹＥＳ）には、再生制御部１０にインデックス情報を取得させ（Ｓ１２）、再生出力を開始させる（Ｓ４８）と共に再びステップＳ４１に戻って動きを検出する。
【０１４６】
一方、再生途中ではない場合（Ｓ４７：ＮＯ）には、映像／音声出力部１５により画像表示／音声出力装置にイベント発生通知を表示させる（Ｓ９）。
【０１４７】
画像表示／音声出力装置に表示されたイベント発生通知を見た使用者が、文字入力部１８および選択入力部１９等の入力部を使用して、そのイベントの対応シーンの視聴を選択したか否かの指示入力を判断し（Ｓ１０）、そのイベントの対応シーンの視聴が選択されない場合（Ｓ１０：ＮＯ）には第ｎ番組の録画を終了するか否かを判断する（Ｓ１１）。録画を終了する場合（Ｓ１１：ＹＥＳ）には、ステップＳ２４に進んで第ｎの番組の録画処理を終了し、録画を終了しない場合（Ｓ１１：ＮＯ）には、再びステップＳ１０に戻ってそのイベントの対応シーンの視聴を選択するか否かを判断する。
【０１４８】
そのイベントの対応シーンの視聴が選択された場合（Ｓ１０：ＹＥＳ）には、再生制御部１０は、録画制御部８内のインデックス記憶部４２からそのイベントの対応シーンに関するインデックス情報を取得し（Ｓ１２）、蓄積部１３から第ｎ番組の対応シーンを、そのインデックス情報を用いて蓄積部１３から読み出し（再生）を開始する（Ｓ１３）。
【０１４９】
蓄積部１３から読み出されたそのイベントの対応シーンが入力される第ｎ入力選択部では、第ｎのマルチプレクサからの映像情報と音声情報に代えて、読み出されたそのイベントの対応シーンの映像情報と音声情報が選択されるように切り替えられ（Ｓ１５）、番組選択部５は、第ｎ入力選択部４ａの出力を選択するように切り替えられる（Ｓ１６）。
【０１５０】
対応シーンの視聴中に、使用者が、文字入力部１８および選択入力部１９等の入力部を使用して、そのイベントの対応シーンの視聴を終了するか否かの指示入力を判断し（Ｓ１７）、そのイベントの対応シーンの視聴が終了されない場合（Ｓ１７：ＮＯ）には、そのキーワードに一致した対応シーン（イベント）が終了したか否かを判断する（Ｓ１８）。そのイベントの対応シーンが終了しない場合（Ｓ１８：ＮＯ）には、再びステップＳ１７に戻って視聴者の終了指示入力の判断およびステップＳ１８のイベントの終了の判断を行う。
【０１５１】
使用者によりイベントの対応シーンの視聴が終了される場合（Ｓ１７：ＹＥＳ）と、イベントが終了した場合（Ｓ１８：ＹＥＳ）には、第ｎ入力選択部の入力が、蓄積部側から第ｎマルチプレクサ側に切り替えられ（Ｓ２２）、録画制御部８により第ｎの番組の録画処理が終了され（Ｓ３４）、番組選択部５は、第１入力選択部４の出力を選択するように切り替えられ（Ｓ２３）、第ｎ番組の録画を終了するか否かを判断する（Ｓ３５）。録画を終了する場合（Ｓ３５：ＹＥＳ）には、番組の録画処理を終了し、録画を終了しない場合（Ｓ３５：ＮＯ）には、再びステップＳ４に戻ってそのイベントの対応シーンの発生を検出する。
【０１５２】
ステップＳ９〜Ｓ３５、Ｓ４８の処理中であっても、並列処理中のステップＳ４１で動きを検出した場合には、そのステップの処理を中断してステップＳ４１に戻る。
【０１５３】
なお、本実施の形態では、キーワード対応シーンの録画は、実施の形態３のようにキーワード対応シーンの前のシーンも視聴できるようにしてもよく、車体が停止しサイドブレーキがかけられたとき、実施の形態８のように、モニターにイベント一覧画面を表示してもよい。
【０１５４】
本実施の形態では、上記のようにして、移動体が停車中にはキーワード対応シーンが再生され、車体が動き始めると動き検出部９１により再生制御部１０の再生が停止され、映像／音声出力部１５の映像出力も停止されるが、次に車体が停止した場合、サイドブレーキがかけられるとキーワード対応シーンの再生が停止していた箇所から再生が開始される。一方、キーワード対応シーンの検出および録画は、一旦開始した場合には、移動体の動きおよび停止とは関係なく動作が続けられる。
【０１５５】
従って、本実施の形態は、移動体内に設置されるデジタル放送記録再生装置であって、移動体の速度パルス情報及び駐車ブレーキ情報から車体の動きを検出する動き検出部９１を備え、動き検出部９１が車体の動きを検出できない場合には、映像／音声出力部１５からの出力を許可し、動き検出部９１が車体の動きを検出している場合には、映像／音声出力部１５からの出力を禁止する。
【０１５６】
また、本実施の形態は、動き検出部９１が車体の動きを検出している場合で、付加情報解析部６が、キーワードの一致を検出した場合に、移動体の乗員に対してキーワードに一致する番組の対応シーンが検出されたことを報知する。この報知は、例えば報知音あるいは音声メッセージにより実施すればよい。再生制御部１０は、動き検出部が車体の動きを検出できなくなった場合に、対応シーンの読み出しを実施する。
【０１５７】
また、本実施の形態では、移動体の動きを検出するステップ（Ｓ４１）と、移動体の停止を検出するステップ（Ｓ４５）と、動きを検出した場合に、対応シーンの読み出しを中止させ（Ｓ４３）、視聴中の受信情報については録画を開始するステップ（Ｓ３２）と、停止を検出した場合に、前回の動き検出で対応シーンの読み出しが中止された場合には続きを読み出し開始し（Ｓ４８）、そうでない場合には、一覧形式の対応シーンを表示させるステップ（Ｓ９）とを有する。
【０１５８】
このように本実施の形態では、動き検出部９１が車体が動いていないと判断した場合に、蓄積部１３に録画した番組の再生を再生制御部１０に許可し、また映像／音声出力部１５に映像出力の許可を行い、再生映像またはライブ番組映像を画像表示／音声出力装置に出力できるよう制御し、また動き検出部９１が車体の動きを検出し動いていると判断した場合に、録画番組の再生の禁止及び映像／音声出力部１５に映像出力の禁止を指示するため、デジタル放送を受信中でも安全に運転することができるという効果を有する。
【０１５９】
また、本実施の形態では、車体が移動中にデジタル放送を受信している場合、あらかじめ設定されたキーワードと一致した情報が受信した付加情報に記載されていたとき画像表示、発光部、報知音、あるいは音声メッセージのいずれかの方法によりドライバに通知するとともに、蓄積部１３に該当シーンの録画または裏番組の全内容を録画している場合には、該当シーンに関連づけされたインデックス情報を記録するようにする。そして、車体が停止し、サイドブレーキがきかれたときに、キーワード対応シーンを選択し再生できるようにしたので、移動体の乗員は、移動体の中でデジタル放送の重要シーンを見逃すことなく車体が停止したときに視聴することができるという効果を有する。
【０１６０】
なお、上記した実施の形態１等では、表示画面のデータの記憶部と生成部を映像／音声出力部内に設けたが、例えば、付加情報解析部内に設けることで、イベント発生通知出力指示に代えて、表示画像データを映像／音声出力部に送出するように構成しても良い。同様に、録画制御部８内のインデックスの記憶部と生成部も、例えば、付加情報解析部内に設けることで、インデックス付加指示に代えて、生成されたインデックスのデータを録画制御部に送出するように構成しても良い。
【図面の簡単な説明】
【０１６１】
【図１】本発明の実施の形態１のデジタル放送記録再生装置の概略構成を示すブロック図である。
【図２】図１の録画制御部の内部構成を示すブロック図である。
【図３】復号された映像情報に通知情報が合成されて画像表示／音声出力装置に表示された状態を示す図である。
【図４】図１に示したデジタル放送記録再生装置で任意の番組の視聴中に裏番組でキーワードに一致する対応シーンが検出された場合の動作を示すフローチャートである。
【図５】本発明の実施の形態２のデジタル放送記録再生装置の概略構成を示すブロック図である。
【図６】図５に示したデジタル放送記録再生装置で任意の番組の視聴中に裏番組でキーワードに一致する対応シーンが検出された場合の動作を示すフローチャートである。
【図７】本実施形態のデジタル放送記録再生装置の蓄積部の内部に設けられた第１及び第２の一時記憶部を示す図である。
【図８】本発明の実施の形態４のデジタル放送記録再生装置の概略構成を示すブロック図である。
【図９】図８のデジタル放送記録再生装置の情報表示部に通知情報が表示されたようすを示す斜視図である。
【図１０】本発明の実施の形態５のデジタル放送記録再生装置の概略構成を示すブロック図である。
【図１１】図１０のデジタル放送記録再生装置の発光表示部が駆動あるいは通電されたようすを示す斜視図である。
【図１２】本発明の実施の形態６のデジタル放送記録再生装置の概略構成を示すブロック図である。
【図１３】本発明の実施の形態７のデジタル放送記録再生装置の概略構成を示すブロック図である。
【図１４】本発明の実施の形態８のデジタル放送記録再生装置の概略構成を示すブロック図である。
【図１５】イベントの一覧画面に通知情報が表示ボタン形式で合成されて画像表示／音声出力装置に表示された状態を示す図である。
【図１６】（ａ）、（ｂ）は、本発明の実施の形態１１の蓄積部の構成であり、図１のストレージＩ／Ｆに対して第１の蓄積部に加えて同様な第２の蓄積部および第３の蓄積部を並列に接続した構成（ストライピング構成）である。
【図１７】本発明の実施の形態１２のデジタル放送記録再生装置の概略構成を示すブロック図である。
【図１８】図１７に示したデジタル放送記録再生装置で任意の番組の視聴中に裏番組でキーワードに一致する対応シーンが検出された場合の動作を示すフローチャートである。
【符号の説明】
【０１６２】
１、１ａ、１ｃ、１ｄ、１ｅ、１ｆ、１ｇ、１ｋ  デジタル放送記録再生装置、  ２  第１のチューナ、  ２ａ  第Ｎのチューナ、  ３  第１のデマルチプレクサ、  ３ａ  第Ｎのデマルチプレクサ、  ４  第１の入力選択部、  ４ａ  第Ｎの入力選択部、  ５  番組選択部、  ６、６ａ  付加情報解析部、  ７  入力制御部、  ８  録画制御部、  ９  録画用バッファ、  １０  再生制御部、  １１  再生用バッファ、  １２  ストレージＩ／Ｆ（インターフェース）、  １３、１３ａ  蓄積部、  １４  映像／音声復号部、  １５、１５ａ、１５ｂ  映像／音声出力部、  １７  ユーザＩ／Ｆ、  １８  文字入力部、  １９  選択入力部、  ２１  キーワード抽出部、  ２２  キーワード記憶部、  ２３  キーワード一致検出部、  ２４  インデックス指示部、  ２５  イベント発生通知部、  ２６  録画開始／終了指示出力部、  ３１  表示画面データ記憶部、  ３２  通知情報記憶部、  ３３  通知情報生成部、  ３４  画像合成部、  ３５  イベント情報記憶部、  ４１  インデックス生成部、  ４２  インデックス記憶部、  ５０  装置情報表示部、  ５１  指示内容判別部、  ５２  通知情報記憶部、  ５３  通知情報生成部、  ５４  表示部、  ６０  発生通知表示部、  ６１  表示部駆動部、  ６２  発光表示部、  ７０  イベント発生報知音出力部、  ７１  報知音駆動部、  ７２  報知音発生部、  ８０  音声メッセージ出力部、  ８１  指示内容判別部、  ８２  メッセージ情報記憶部、  ８３  メッセージ情報生成部、  ８４  音声出力部、  ９１  動き検出部、  ２０１  映像、  ２０２  イベント通知（表示ボタン）、  ３０１  第１一時記憶部、  ３０２  第２一時記憶部、  ６０２  イベントＡ１の表示ボタン、  ６０３  イベントＡ２の表示ボタン、  ６０４  イベントＡ３の表示ボタン、  ６０５  イベントＢ１の表示ボタン、  ６０６  イベントＢ２の表示ボタン、  ６０７  イベントＣ１の表示ボタン、  ６０８  イベントＣ２の表示ボタン、  ６０９  イベントＣ３の表示ボタン、  ６１０  イベントＣ４の表示ボタン、  ６１１  横スクロールバー、  ６１２  縦スクロールバー、  ６１３  戻る表示ボタン、  ７０１  第２の蓄積部、  ７０２  第３の蓄積部。
【図１】
2005250738.tif 000003
【図２】
2005250738.tif 000004
【図３】
2005250738.tif 000005
【図４】
2005250738.tif 000006
【図５】
2005250738.tif 000007
【図６】
2005250738.tif 000008
【図７】
2005250738.tif 000009
【図８】
2005250738.tif 000010
【図９】
2005250738.tif 000011
【図１０】
2005250738.tif 000012
【図１１】
2005250738.tif 000013
【図１２】
2005250738.tif 000014
【図１３】
2005250738.tif 000015
【図１４】
2005250738.tif 000016
【図１５】
2005250738.tif 000017
【図１６】
2005250738.tif 000018
【図１７】
2005250738.tif 000019
【図１８】
2005250738.tif 000020